(57)【特許請求の範囲】
【請求項１】
縦方向と横方向と前後方向とを有する吸収性物品であって、
前記縦方向に沿った吸収性本体と、
前記横方向に沿ったベルト部と、前記縦方向に沿ったレッグギャザー部とを備えるシート部材と、を有し、
胴回り開口部及び一対の脚回り開口部が形成されており、
前記縦方向において、前記胴回り開口部側から前記脚回り開口部に向かって、前記横方向外側へ傾斜した、少なくとも前記吸収性本体及び前記シート部材を前方において接合する第１接合部、及び、後方において接合する第２接合部がそれぞれ設けられており、
前記第１接合部の下端と前記脚回り開口部の周縁との間の最短距離は、前記第２接合部の下端と前記脚回り開口部の周縁との間の最短距離よりも長い、ことを特徴とする吸収性物品。
【請求項２】
請求項１に記載の吸収性物品であって、
前記第１接合部の下端の位置は、前記第２接合部の下端の位置よりも前記横方向の内側である、ことを特徴とする吸収性物品。
【請求項３】
請求項１または２に記載の吸収性物品であって、
前記第１接合部の下端において前記第１接合部と前記縦方向とがなす角度のうち小さい方の角度は、
前記第１接合部の上端において前記第１接合部と前記縦方向とがなす角度のうち小さい方の角度よりも大きい、ことを特徴とする吸収性物品。
【請求項４】
請求項３に記載の吸収性物品であって、
前記第１接合部は、前記第１接合部の中央よりも下方の領域において、前記横方向の外側に湾曲した部分を有している、ことを特徴とする吸収性物品。
【請求項５】
請求項１〜４のいずれかに記載の吸収性物品であって、
前記第１接合部の上端において前記第１接合部と前記縦方向とがなす角度のうち小さい方の角度は、
前記第２接合部の上端において前記第２接合部と前記縦方向とがなす角度のうち小さい方の角度よりも大きい、ことを特徴とする吸収性物品。
【請求項６】
請求項１〜５のいずれかに記載の吸収性物品であって、
前記脚回り開口部の周縁部の全周に亘って、伸縮性を有する弾性シート部材が配置されている、ことを特徴とする吸収性物品。
【請求項７】
請求項１〜６のいずれかに記載の吸収性物品であって、
前記第２接合部と前記脚回り開口部との間には所定の間隔が設けられている、ことを特徴とする吸収性物品。
【請求項８】
請求項１〜７のいずれかに記載の吸収性物品であって、
前記レッグギャザー部と前記ベルト部とが一の部材によって形成されている、ことを特徴とする吸収性物品。
【発明の詳細な説明】
【技術分野】
【０００１】
本発明は、吸収性物品に関する。
【背景技術】
【０００２】
従来、尿等の排泄物を吸収する吸収性本体と、吸収性本体の長手方向の両端に接合され、前後ウエスト域を連結するウエストベルトとを備え、ウエスト開口（胴回り開口）と一対のレッグ開口（脚回り開口）とが形成されたパンツ型の吸収性物品が知られている。例えば、特許文１には、吸収性本体の長手方向とウエストベルトの長手方向とを揃えて両者を配置して、ウエストベルトの一部を切り欠いて脚回り開口を設け、吸収性本体の長手方向両端部から当該脚回り開口に向かう接合部によって吸収性本体とウエストベルトとを接合したパンツ型の吸収性物品が開示されている。
【先行技術文献】
【特許文献】
【０００３】
【特許文献１】特表平８−５０７６９９号公報
【発明の概要】
【発明が解決しようとする課題】
【０００４】
特許文献１に記載されたパンツ型の吸収性物品では、ウエストベルトの前後（腹側及び背側）に接合部が設けられているが、当該接合部の配置や形状が前後で同じであるため、吸収性物品を着用する際に良好なフィット性が得られないという問題があった。例えば、前側（腹側）においては、剛性の高い接合部が脚回り開口まで達することにより脚回りの肌触りに違和感を生じやすくさせる場合があった。また、後側（背側）においては、接合部とウエストベルトとのなす角度によっては吸収性本体が横方向の内側に収縮してしまい、着用者の臀部をしっかりと覆うことができなくなることがあり、良好なフィット性が得られない場合があった。
【０００５】
本発明は、上記のような問題に鑑みてなされたものであって、その目的とするところは、腹側及び背側において共に良好なフィット性を実現可能なパンツ型吸収性物品を提供することにある。
【課題を解決するための手段】
【０００６】
上記目的を達成するための主たる発明は、縦方向と横方向と前後方向とを有する吸収性物品であって、前記縦方向に沿った吸収性本体と、前記横方向に沿ったベルト部と、前記縦方向に沿ったレッグギャザー部とを備えるシート部材と、を有し、胴回り開口部及び一対の脚回り開口部が形成されており、前記縦方向において、前記胴回り開口部側から前記脚回り開口部に向かって、前記横方向外側へ傾斜した、少なくとも前記吸収性本体及び前記シート部材を前方において接合する第１接合部、及び、後方において接合する第２接合部がそれぞれ設けられており、前記第１接合部の下端と前記脚回り開口部の周縁との間の最短距離は、前記第２接合部の下端と前記脚回り開口部の周縁との間の最短距離よりも長い、ことを特徴とする吸収性物品である。
【０００７】
本発明の他の特徴については、本明細書及び添付図面の記載により明らかにする。
【発明の効果】
【０００８】
本発明によれば、腹側及び背側において共に良好なフィット性を実現可能なパンツ型吸収性物品を提供することができる。
【図面の簡単な説明】
【０００９】
【図１】おむつ１の前側から見た状態の外観を表す平面図である。
【図２】図２Ａは、長手方向に沿って伸長させた状態のおむつ１について表す平面図である。図２Ｂは、図２ＡのＡ−Ａ断面について表す概略断面図である。
【図３】図３Ａは、製造工程の途中において、長手方向に沿って伸長させた状態のおむつ１を展開した状態について表す平面展開図である。図３Ｂは、図３ＡのＢ−Ｂ断面について表す概略断面図である。
【図４】おむつ１の製造工程の一例について説明する図である。
【図５】図５Ａは、パンツ型に形成されたおむつ１を前側から見た場合の第１接合部ＷＬ１の配置について説明する概略平面図である。図５Ｂは、パンツ型に形成されたおむつ１を後側から見た場合の第２接合部ＷＬ２の配置について説明する概略平面図である。
【図６】図６Ａは、従来のパンツ型おむつを着用した状態について表す側面図である。図６Ｂは、本実施形態のおむつ１を着用した状態について表す側面図である。
【図７】第１接合部ＷＬ１の変形例について表す図である。
【図８】第１接合部ＷＬ１の変形例について表す図である。
【発明を実施するための形態】
【００１０】
本明細書及び添付図面の記載により、少なくとも以下の事項が明らかとなる。
縦方向と横方向と前後方向とを有する吸収性物品であって、前記縦方向に沿った吸収性本体と、前記横方向に沿ったベルト部と、前記縦方向に沿ったレッグギャザー部とを備えるシート部材と、を有し、胴回り開口部及び一対の脚回り開口部が形成されており、前記縦方向において、前記胴回り開口部側から前記脚回り開口部に向かって、前記横方向外側へ傾斜した、少なくとも前記吸収性本体及び前記シート部材を前方において接合する第１接合部、及び、後方において接合する第２接合部がそれぞれ設けられており、前記第１接合部の下端と前記脚回り開口部の周縁との間の最短距離は、前記第２接合部の下端と前記脚回り開口部の周縁との間の最短距離よりも長い、ことを特徴とする吸収性物品。
【００１１】
このような吸収性物品によれば、前側（腹側）においては、剛性の高い第１接合部の下端が着用者の脚と直接接触することが抑制され、後側（背側）においては、ベルト部が横方向の外側に引っ張られる力を吸収性本体に効率的に作用させることで吸収性本体を横方向に拡幅させ、着用者の臀部を広く覆うことができるようになる。これにより、吸収性物品の腹側及び背側で、共にフィット性を高めることができる。
【００１２】
かかる吸収性物品であって、前記第１接合部の下端の位置は、前記第２接合部の下端の位置よりも前記横方向の内側である、ことが望ましい。
【００１３】
このような吸収性物品によれば、前側（腹側）においては、脚回り開口部の端縁部が横方向の内側へある程度変動できるようになり、吸収性物品を着用する際に着用者の鼠蹊部の形状に沿って脚回り開口部がなじみやすくなるため、フィット性が向上する。一方、後側（背側）においては、脚回り開口部ＨＬの端縁部が横方向の内側に移動し難くなるため、着用者の臀部に食い込むことが抑制され、不快感を与え難くすることができる。
【００１４】
かかる吸収性物品であって、前記第１接合部の下端において前記第１接合部と前記縦方向とがなす角度のうち小さい方の角度は、前記第１接合部の上端において前記第１接合部と前記縦方向とがなす角度のうち小さい方の角度よりも大きい、ことが望ましい。
【００１５】
このような吸収性物品によれば、第１接合部は、下端付近の領域において水平に近くなり、脚回り開口部の周縁に沿いやすくなる。すなわち、吸収性物品の前側において、脚回り開口部の周縁部の伸縮方向と第１接合部の方向とが適合しやすくなるため、脚回り開口部の周縁部における伸縮が第１接合部によって妨げられることが抑制される。これにより、脚回り開口部の周縁部が伸縮しやすくなるため、着用者の脚回りにおけるフィット性をより向上させることができる。
【００１６】
かかる吸収性物品であって、前記第１接合部は、前記第１接合部の中央よりも下方の領域において、前記横方向の外側に湾曲した部分を有している、ことが望ましい。
【００１７】
このような吸収性物品によれば、前記第１接合部の傾斜角度を滑らかに変化させることができるため、脚回り開口部の周縁部が伸縮する際に、第１接合部に局所的な負荷がかかること抑制できる。これにより、吸収性物品の前側（腹側）で歪が生じたり大きな皺が発生したりすることが抑制される。また、第１接合部ＷＬ１の形状が目立ちやすく、第２接合部との形状の違いが一見して明らかとなるため、おむつ１の前後を判別しやすくなる。
【００１８】
かかる吸収性物品であって、前記第１接合部の上端において、前記第１接合部と前記縦方向とがなす角度のうち小さい方の角度は、前記第２接合部の上端において、前記第２接合部と前記縦方向とがなす角度のうち小さい方の角度よりも大きい、ことが望ましい。
【００１９】
このような吸収性物品によれば、吸収性物品をパンツ型に形成した状態で吸収性本体とベルト部とのなす角度が、前側（腹側）で大きく、後側（背側）で小さくなりやすい。その結果、おむつ着用時において吸収性本体の後側が着用者の臀部の上方まで引き上げられやすくなり、着用者の臀部との間に隙間が生じ難くフィット性が向上する。また、外観上、臀部がすっきりとした印象となるため、着用者におむつを着用することに対する抵抗感を与え難くなる。
【００２０】
かかる吸収性物品であって、前記脚回り開口部の周縁部の全周に亘って、伸縮性を有する弾性シート部材が配置されている、ことが望ましい。
【００２１】
このような吸収性物品によれば、弾性シート部材によって脚回り開口部の周縁が補強されるため、該脚回り開口部の強度が高くなり、おむつを破れ難くすることができる。また、脚回り開口部の周縁部を面でフィットさせることができるようになり、おむつ着用時におけるレッグギャザー回りの肌触りが良好になる。
【００２２】
かかる吸収性物品であって、前記第２接合部と前記脚回り開口部との間には所定の間隔が設けられている、ことが望ましい。
【００２３】
このような吸収性物品によれば、前記第２接合部と脚回り開口部とが交差していないため、脚回り開口部の周縁部において裂け目の起点が形成され難く、背側において吸収性物品が破れることを抑制しやすくなる。また、この場合、前記第１接合部と脚回り開口部とも交差しないため、腹側においても吸収性物品が破れることを抑制しやすくなる。
【００２４】
かかる吸収性物品であって、前記レッグギャザー部と前記ベルト部とが一の部材によって形成されている、ことが望ましい。
【００２５】
このような吸収性物品によれば、ベルト部とレッグギャザー部との間に接合部等が設けられていないため、おむつを着用する際に、ベルト部とレッグギャザー部との境界部に応力が集中した場合であっても、裂け目の起点が形成され難くなる。これにより、脚回り開口部においておむつが破れてしまうことを抑制しやすくなる。
【００２６】
＝＝＝実施形態＝＝＝
＜パンツ型使い捨ておむつ１の基本構成＞
本実施形態に係る吸収性物品の一例として、パンツ型の使い捨ておむつ１（以下、「おむつ１」とも呼ぶ）について説明する。
【００２７】
図１は、おむつ１の前側から見た状態の外観を表す平面図である。おむつ１は、吸収性本体１０と、レッグギャザー部２０と、ベルト部３０とを有し、着用時において図１に示されるようなパンツ型の形状をしている。このおむつ１は、図１のパンツ型状態において、互いに直交する「縦方向」と「横方向」と不図示の「前後方向」とを有している。前後方向は図１で紙面に垂直な方向であり、着用者の腹側に当たる側を前側とし、着用者の背側に当たる側を後側とする。また、おむつ１の縦方向の上側には胴回り開口部ＨＢが形成され、横方向の両側には１対の脚回り開口部ＨＬが形成されている。
【００２８】
図２Ａは、吸収性本体１０の長手方向に沿って伸長させた状態のおむつ１について表す平面図である。図２Ｂは、図２ＡのＡ−Ａ断面について表す概略断面図である。図３Ａは、製造工程の途中において、吸収性本体１０の長手方向に沿って伸長させた状態のおむつ１を展開した状態について表す平面展開図である。図３Ｂは、図３ＡのＢ−Ｂ断面について表す概略断面図である。
【００２９】
おむつ１は、製造工程の最終段階において図２Ａに示されるような平面状態である。おむつ１の製造工程については図４を用いて後で説明する。平面状態のおむつ１は、互いに直交する三方向として「長手方向」と「横方向」と「厚さ方向」とを有している。平面状態のおむつ１の長手方向は、吸収性本体１０の長手方向に沿った方向である。この長手方向は、図１のパンツ型状態での縦方向に対応する方向であるが、厳密に言うとパンツ型状態での縦方向と平面状態での縦方向とは若干意味が異なるため、必要な場合には「パンツ型状態での縦方向」、「平面状態での長手方向」等、両者を区別して扱う。なお、図２Ａでおむつ１を長手方向に沿って伸長させた状態（すなわち平面状態）とは、後述するレッグギャザー弾性部材２３やベルト弾性部材３３による収縮力に抗しておむつ１を長手方向に伸長させた場合に、各弾性部材が配置されている部分において実質的に皺やギャザーが視認できなくなる程度まで伸長した状態のことを言う。さらに言うと、長手方向に伸長させた状態におけるおむつ１の形状は、レッグギャザー弾性部材２３等の各種弾性部材による収縮力が発現していない場合において平坦に延びたときのおむつ１の形状と同じである。
【００３０】
また、以下の説明では、吸収性本体１０を長手方向に伸長させた状態で、着用者の腹側に当たる側を長手方向の前側（腹側）とし、着用者の背側に当たる側を長手方向の後側（背側）とする。平面状態のおむつ１の横方向は、図１のパンツ型状態のおむつ１の横方向及び厚さ方向と同じ概念である。平面状態のおむつ１の厚さ方向は、長手方向及び横方向とそれぞれ直行する方向であり、着用者の肌と接触する側のことを「肌側」と言い、その逆側のことを「非肌側」と言う。
【００３１】
図２Ａ及び図２Ｂに示されるように、平面状態のおむつ１において、吸収性本体１０は長手方向に沿って配置されており、吸収性本体１０の横方向両側には１対のレッグギャザー部２０が配置されている。そして、吸収性本体１０の一部及びレッグギャザー部２０と厚さ方向の肌側に重複するように、１対のベルト部３０が配置されている。本実施形態のおむつ１では、図３Ａに示されるように、レッグギャザー部２０とベルト部３０とが一のシート部材であるサイドシート４０によって形成されている。当該サイドシート４０を長手方向に伸びる折り返し線ＦＬにおいて横方向の内側に折り返すことによってレッグギャザー部２０及びベルト部３０が形成される。
【００３２】
レッグギャザー部２０には、横方向外側端部２０ｅо（折り返し線ＦＬ）において一部が切り欠かれたレッグギャザー切り欠き部２５が設けられている。同様に、ベルト部３０には、横方向外側端部３０ｅо（折り返し線ＦＬ）において一部が切り欠かれたベルト切り欠き部３５が設けられている。このレッグギャザー切り欠き部２５及びベルト切り欠き部３５によって脚回り開口部ＨＬが形成される。
【００３３】
ベルト部３０は、吸収性本体１０の長手方向前側端部１０ｅｆから脚回り開口部ＨＬに向かって傾斜した１対の第１接合部ＷＬ１によって吸収性本体１０（厳密に言うと、吸収性本体１０の肌側に配置されているトップシート１３）及びレッグギャザー部２０と接合されている。同様に、ベルト部３０は、吸収性本体１０の長手方向後側端部１０ｅｒから脚回り開口部ＨＬに向かって傾斜した１対の第２接合部ＷＬ２によって吸収性本体１０及びレッグギャザー部２０と接合されている。第１接合部ＷＬ１及び第２接合部ＷＬ２は、熱溶着や超音波溶着等の公知の溶着手段によって接合されるが、ホットメルト接着剤等の接着剤を用いて接合されるのであっても良い。
【００３４】
本実施形態のおむつ１では、前側に形成されている第１接合部ＷＬ１と、後側に形成されている第２接合部ＷＬ２とで、その配置や形状が異なっている。例えば、第１接合部ＷＬ１が吸収性本体１０の長手方向（パンツ型状態での縦方向）となす角度のうち小さい方の角度を傾斜角度θ１、第２接合部ＷＬ２が吸収性本体１０の長手方向（パンツ型状態での縦方向）となす角度のうち小さい方の角度を傾斜角度θ２とすると、傾斜角度θ１と傾斜角度θ２とでは大きさが異なっている。また、第１接合部ＷＬ１の長さと第２接合部ＷＬ２の長さとが異なっている。また、図２Ａに示されるように第１接合部ＷＬ１は縦方向の下端部が横方向の外側に湾曲した形状となっている。これらの接合部の詳細については後で説明する。
【００３５】
このような平面状態のおむつ１を一対のベルト部３０，３０において横方向の内側端部３０ｅｉ，３０ｅｉ同士を横方向の両側に開きながら、吸収性本体１０を長手方向の中央位置ＣＬ付近で二つ折りすることにより、パンツ型のおむつ１として着用可能な状態となる。このとき、吸収性本体１０の長手方向前側端部１０ｅｆ、長手方向後側端部１０ｅｒ及び、一対のベルト部３０の内側端部３０ｅｉによって胴回り開口部ＨＢが形成される（図１参照）。
【００３６】
図２Ａに示されるように、吸収性本体１０は、長手方向に伸びる略長方形の部材（図３Ａ参照）を第１接合部ＷＬ１及び第２接合部ＷＬ２に沿って切断することにより、長手方向の各端部がそれぞれ平面視略Ｖ字形に先細った形状のシート状部材である。吸収性本体１０は、吸収体１１と、同吸収体１１を肌側から覆って設けられたトップシート１３（肌側シートに相当）と、同吸収体１１を非肌側から覆って設けられたバックシート１５（非肌側シートに相当）と、を有する。これら各部材１３，１１，１５は、それぞれ厚さ方向に隣接する部材と、ホットメルト接着剤等で接合されている（図２Ｂ及び図３Ｂ参照）。なお、同接着剤の塗布パターンとしては、Ωパターンやスパイラルパターン、ストライプパターン等を例示できて、このことは、後で出てくる他の接着剤についても同様である。
【００３７】
吸収体１１は、所定の液体吸収性素材が所定形状（例えば、平面視略砂時計形状）に成形された吸収性コアと、該吸収性コアの外周面を被覆するコアラップシートとを有し、おむつ１の着用時において尿等の排泄液を吸収する部材である。液体吸収性素材としては、パルプ繊維等の液体吸収性繊維や、高吸収性ポリマー（所謂ＳＡＰ）等の液体吸収性粒状物を例示できる。コアラップシートとしては、ティッシュペーパーや不織布等の液透過性シートを使用可能である。なお、吸収体１１の形状は、図３Ａに示されるような平面視略砂時計形状に限らず、他の形状であっても良い。
【００３８】
トップシート１３は、液透過性を有する柔軟なシート部材で形成され、例えばエアスルー不織布等のシート部材を用いることができる。トップシート１３の平面サイズは、吸収体１１の長手方向の両側及び横方向の両側から突出するようなサイズである。
【００３９】
バックシート１５は、図３Ｂに示されるように防漏シート１５ｆ及び外装シート１５ｎの２枚のシート部材を厚さ方向に重ねて接合することによって形成されている。防漏シート１５ｆは、ポリエチレン（ＰＥ）フィルム又はポリプロピレン（ＰＰ）フィルム等からなる液不透過性のシート部材であり、バックシート１５の厚さ方向の肌側に配置される。外装シート１５ｎは、不織布等からなるシート部材であり、バックシート１５の厚さ方向の非肌側に配置され、吸収性本体１０の外装を構成する部材である。但し、バックシート１５は、一定の防漏性を有していれば、上述のような構成には限られない。バックシート１５も、吸収体の長手方向の両側及び横方向の両側から突出するような平面サイズのシートである。そして、トップシート１３とバックシート１５とは、互いの長手方向両端部の略Ｖ字形が概ね揃うように厚さ方向に重ね合わせて接合され、これにより、シート１３，１５同士の間に吸収体が保持されている。
【００４０】
レッグギャザー部２０は、図３Ａ及び図３Ｂに示されるように、吸収性本体１０の横方向両側に接合された長手方向に長いシート部材であり、おむつ１をパンツ型に形成する際には、脚回り開口部ＨＬに沿って収縮して襞状のレッグギャザーを形成する。レッグギャザー部２０は、不織布等からなる第１シート２１と第２シート２２を厚さ方向に二枚重ねにして形成されている。なお、吸収性本体１０とレッグギャザー部２０との接合は、レッグギャザー部２０の横方向の内側端部が吸収性本体１０のトップシート１３とバックシート１５との間に挟み込まれた状態でホットメルト接着剤等により接着されることで行われている。
【００４１】
ベルト部３０は、図３Ａ及び図３Ｂに示されるように、レッグギャザー部２０の横方向両側に設けられた長手方向に長いシート部材であり、おむつ１をパンツ型に形成する際には胴回りのベルトを形成する（図１参照）。ベルト部３０は、不織布等からなる第１シート３１と第２シート３２とを厚さ方向に二枚重ねにして形成されている。
【００４２】
上述したように、本実施形態においてレッグギャザー部２０とベルト部３０とは一の部材であるサイドシート４０によって一体的に形成されている。すなわち、レッグギャザー部２０の第１シート２１及びベルト部３０の第１シート３１は一のシート部材４１によって構成され、レッグギャザー部２０の第２シート２２及びベルト部３０の第２シート３２も一のシート部材４２によって構成されている。本実施形態では、サイドシート４０のうち折り返し線ＦＬよりも横方向内側の部分がレッグギャザー部２０となり、折り返し線ＦＬの横方向外側の部分がベルト部３０となる。
【００４３】
そして、この折り返し線ＦＬを跨ぐようにして脚回り開口部ＨＬが形成されている。脚回り開口部ＨＬは、上述したようにレッグギャザー部２０の第１シート２１及び第２シート２２を切り欠いたレッグギャザー切り欠き部２５と、ベルト部３０の第１シート３１及び第２シート３２を切り欠いたベルト切り欠き部３５とによって形成されている。このレッグギャザー切り欠き部２５とベルト切り欠き部３５とは、折り返し線ＦＬに関して線対称ではない非対称形状に形成されている。
【００４４】
但し、本実施形態において、レッグギャザー切り欠き部２５とベルト切り欠き部３５とが、必ずしも両方形成されている必要は無い。例えば、レッグギャザー部２０にレッグギャザー切り欠き部２５が形成され、ベルト部３０にベルト切り欠き部３５が形成されていない構成であっても良い。この場合、脚回り開口部ＨＬはレッグギャザー切り欠き部２５によって形成される。逆に、レッグギャザー切り欠き部２５が形成されず、ベルト切り欠き部３５のみが形成されているのであっても良く、この場合、脚回り開口部ＨＬはベルト切り欠き部３５によって形成される。また切り欠き部２５，３５は、図３Ａに示されるような略楕円形状ではなく、スリット状であっても良い。
【００４５】
レッグギャザー部２０の第１シート２１と第２シート２２との間には糸ゴム等からなるレッグギャザー弾性部材２３が長手方向に伸長した状態で配置され、ホットメルト接着剤等によって固定されている。図３Ａにおいては、レッグギャザー切り欠き部２５の横方向内側端部（すなわち、脚回り開口部ＨＬの横方向内側端部）よりもさらに内側の位置に２条のレッグギャザー弾性部材２３が配置されている。当該レッグギャザー弾性部材２３によって、レッグギャザー部２０に長手方向の伸縮性が付与される。これにより、おむつ１をパンツ型に形成する際に、脚回り開口部ＨＬに沿ってレッグギャザー部２０が収縮し、襞状のレッグギャザーが形成され、着用者の脚回りにおけるフィット性を向上させることができる。
【００４６】
同様に、ベルト部３０の第１シート３１と第２シート３２との間には糸ゴム等からなるベルト弾性部材３３が長手方向に伸長した状態で配置され、ホットメルト接着剤等によって固定されている。図３Ａにおいては、ベルト切り欠き部３５の横方向外側端部（すなわち、脚回り開口部ＨＬの横方向外側端部）よりもさらに外側の領域に複数のベルト弾性部材３３が横方向に並んで配置されている。当該ベルト弾性部材３３によって、ベルト部３０に長手方向の伸縮性が付与される。これにより、おむつ１をパンツ型に形成する際に、ベルト部３０のほぼ全域に亘って胴回り開口部ＨＢに沿った収縮力が発現し、おむつ１の着用時における胴回りのズレ落ちが抑制される。
【００４７】
なお、レッグギャザー弾性部材２３とベルト弾性部材３３とは、図２Ｂに示されるように厚さ方向において互いに重ならない位置に配置されている。すなわち、厚さ方向の上側から見た場合にレッグギャザー弾性部材２３とベルト弾性部材３３との各々が、横方向において交互に配置されるような位置関係となる。これにより、パンツ型に形成されたおむつ１の脚回り開口部ＨＬ付近において、弾性部材３２、３３が配置されている領域が面状にフィットしやすくなる。
【００４８】
さらに、シート部材４１(２１,３１)とシート部材４２（２２,３２）との間には、伸縮性を有する不織布等によって形成された伸縮シート４３が設けられている。伸縮シート４３は、図３Ａの斜線部で示されるように脚回り開口部ＨＬの横方向の幅よりも広い帯状の弾性シート部材であり、脚回り開口部ＨＬと同形状の開口を有し、長手方向に伸長された状態でシート部材４１，４２にホットメルト接着剤等で固定されている。これにより、脚回り開口部ＨＬの周縁部が、その全周に亘って伸縮シート４３によって補強される。また、平面状の伸縮シート４３によって発現される収縮力によって、脚回り開口部ＨＬの周縁部におけるフィット性がより向上する。仮に、脚回り開口部ＨＬの周縁部に伸縮シート４３が設けられておらず、レッグギャザー弾性部材２３のような糸ゴムのみが設けられていたとすると、糸ゴムと糸ゴムとの間に皺が形成されやすくなり、おむつ１の着用時において脚回り開口部ＨＬにもたつきが生じたり、糸ゴムの跡が肌に残りやすくなったりするおそれがある。これに対して、脚回り開口部ＨＬの周縁部に平面状の伸縮シート４３が配置されることで、フィット性を向上させることができる。
【００４９】
かかる伸縮シート４３の一例としては、ポリウレタン系エラストマー等の略弾性を示すエラストマー繊維とポリオレフィン系樹脂等の略非弾性を示す熱可塑性樹脂繊維とを有した不織布に対して所謂ギア延伸加工を施して伸縮性が発現した不織布を例示できるが、何等これに限らない。
【００５０】
また、図３Ｂに示されるように、ベルト部３０の横方向外側端部領域は、第１ベルト端部折り返し線ＦＬｂ１及び第２ベルト端部折り返し線ＦＬｂ２にて横方向の内側に２回折り返され、ホットメルト接着剤等で当該折り返し状態に固定されている。すなわち、第２ベルト端部折り返し線ＦＬｂ２は、図２Ａにおいて、ベルト部３０の横方向内側端部３０ｅｉとなる部分であり、胴回り開口部ＨＢとなる部分である。胴回り開口部ＨＢをこのような端部折り畳み構造とすることにより、おむつ１を着用する際に、着用者の胴周りにおけるストレスを軽減することができる。但し、当該横方向端部領域は必ずしも上述のような折り畳み構造とされていなくても良い。
【００５１】
＜おむつ１の製造について＞
続いて、おむつ１を製造する方法について簡単に説明する。図４は、おむつ１の製造工程の一例について説明する図である。
【００５２】
この例でおむつ１は、材料となる基材シートを搬送方向に搬送させながら、該基材シートに対して所定の加工（Ｓ１０１〜Ｓ１０５）を施すことによって製造される。以下では、シート部材の搬送方向を「ＭＤ方向」と呼び、ＭＤ方向と直交する方向を「ＣＤ方向」と呼ぶ。ＭＤ方向は、図２Ａの長手方向（縦方向）に沿った方向であり、ＣＤ方向は、図２Ａの横方向に沿った方向である。
【００５３】
本実施形態でおむつ１の基材シートとなるシート部材は、吸収性本体連続シート１０Ａとサイド連続シート４０Ａである。吸収性本体連続シート１０Ａは、複数の吸収性本体１０が長手方向（縦方向）に連続的に並んだシート部材である。すなわち、吸収性本体連続シート１０Ａは、ＭＤ方向に伸びるトップシート１３の連続シートとバックシート１５の連続シートとの厚さ方向の間に吸収体１１が複数挟み込まれた状態のシート部材である。同様に、サイド連続シート４０Ａは、レッグギャザー部２０とベルト部３０とを形成するサイドシート４０が長手方向（縦方向）に連続的に並んだシート部材である。
【００５４】
先ず、図４に示されるように吸収性本体連続シート１０ＡのＣＤ方向（横方向）両側にサイド連続シート４０Ａが接合された状態の基材シートがＭＤ方向に連続的に搬送される（Ｓ１０１）。
【００５５】
続いて、搬送される基材シートに対して、吸収体１１のＣＤ方向（横方向）両側で折り返し線ＦＬを跨ぐ位置に脚回り開口部ＨＬたるレッグギャザー切り欠き部２５及びベルト切り欠き部３５を形成する（Ｓ１０２）。当該切り欠き部は、不図示のカッターロール等を用いて形成される。なお、図４のＳ１０２の工程で表される状態は、図３Ａの展開状態のおむつ１に相当する状態である。
【００５６】
続いて、サイド連続シート４０Ａのうちベルト部３０に相当する部分を折り返し線ＦＬにてＣＤ方向（横方向）の内側に折り返し、吸収性本体１０の一部及びレッグギャザー部とベルト部３０とが厚さ方向に重複した状態になるようにする（Ｓ１０３）。
【００５７】
続いて、超音波融着や熱融着等の接合手段によって第１接合部ＷＬ１及び第２接合部ＷＬ２を形成し、ベルト部３０と、吸収性本体１０及びレッグギャザー部２０とを接合する（Ｓ１０４）。第１接合部ＷＬ１及び第２接合部ＷＬ２は、上述したように各々の傾斜角度θ１，θ２が所定の条件（θ１＞θ２）を満たすように形成される。
【００５８】
続いて、基材シートのカッティングが行われる（Ｓ１０５）。具体的には、ＭＤ方向に連続する基材シートからおむつ１を個体ごとに切り離し、さらに、第１接合部ＷＬ１及び第２接合部ＷＬ２に沿って、長方形の四隅を切断する。これにより、図２Ａで示される平面状態のおむつ１が形成される。
【００５９】
＜おむつ１のフィット性について＞
本実施形態のおむつ１は、前側（腹側）に形成される第１接合部ＷＬ１、及び、後側（背側）に形成される第２接合部の形状や配置を異ならせることで、おむつ１の着用時において、前後共に良好なフィット感を得られるようにしている。以下、おむつ１のフィット性について説明する。
【００６０】
図５Ａは、パンツ型に形成されたおむつ１を前側から見た場合の第１接合部ＷＬ１の配置について説明する概略平面図である。図５Ｂは、パンツ型に形成されたおむつ１を後側から見た場合の第２接合部ＷＬ２の配置について説明する概略平面図である。
【００６１】
図５Ａに示されるように、第１接合部ＷＬ１は、縦方向の上端ＷＬ１ｅｕから、脚回り開口部ＨＬに向かって傾斜角度θ１で傾斜しつつ縦方向の下端ＷＬ１ｅｄに達するように形成されている。また、当該下端ＷＬ１ｅｄの領域では第１接合部ＷＬ１の一部が横方向の外側に開くように湾曲している。その結果、脚回り開口部ＨＬと第１接合部ＷＬ１の下端ＷＬ１ｅｄとの間には、所定の間隔ｄｓ１が設けられる。ここで、間隔ｄｓ１は、脚回り開口部ＨＬと第１接合部ＷＬ１の下端ＷＬ１ｅｄとの間の最短距離であり、図５Ａでは脚回り開口部ＨＬの前側におけるレッグギャザー部２０とベルト部３０との境界部ＨＬｅｆと、第１接合部ＷＬ１の下端ＷＬ１ｅｄとの間の距離で表される。なお、境界部ＨＬｅｆは、図３Ａのように長手方向に伸長させた状態のおむつ１において、脚回り開口部ＨＬの長手方向の前端部ＨＬｅｆに相当する部位である。
【００６２】
一方、図５Ｂに示されるように、第２接合部ＷＬ２は、縦方向の上端ＷＬ２ｅｕから、脚回り開口部ＨＬに向かって傾斜角度θ２で傾斜しつつ縦方向の下端ＷＬ２ｅｄに達するように形成されている。第２接合部ＷＬ２は上端ＷＬ２ｅｕから下端ＷＬ２ｅｄまで直線状に形成されており、脚回り開口部ＨＬと第２接合部ＷＬ２の下端ＷＬ２ｅｄとの間には、所定の間隔ｄｓ２が設けられる。間隔ｄｓ２は、脚回り開口部ＨＬと第２接合部ＷＬ２の下端ＷＬ２ｅｄとの間の最短距離であり、図５Ｂでは脚回り開口部ＨＬの後側におけるレッグギャザー部２０とベルト部３０との境界部ＨＬｅｒと第２接合部ＷＬ２の下端ＷＬ２ｅｄとの間の距離で表される。境界部ＨＬｅｒは、図３Ａのように長手方向に伸長させた状態のおむつ１において、脚回り開口部ＨＬの長手方向の後端部ＨＬｅｒに相当する部位である。
【００６３】
本実施形態のおむつ１では、前側における脚回り開口部ＨＬと第１接合部ＷＬ１の下端ＷＬ１ｅｄとの間の最短距離（間隔ｄｓ１）が、後側における脚回り開口部ＨＬと第２接合部ＷＬ２の下端ＷＬ２ｅｄとの間の最短距離（間隔ｄｓ２）よりも長くなるように、各接合部ＷＬ１，ＷＬ２が配置されている（ｄｓ１＞ｄｓ２）。
【００６４】
脚回り開口部ＨＬは、おむつ１の着用時に着用者の脚と直接接触する部位である。特に、前側の領域は着用者が歩行時に脚を前方に動かす等の動作により、着用者の肌に強く押し付けられる場合がある。したがって、第１接合部ＷＬ１の下端ＷＬ１ｅｄが脚回り開口部ＨＬまで達していると、第１接合部ＷＬ１の下端ＷＬ１ｅｄが着用者の脚に押し付けられるおそれがある。この第１接合部ＷＬ１はシート部材同士が接合されて形成されていることから他の部位よりも剛性が高くなっているため、そのような剛性の高い第１接合部ＷＬ１が脚に押し付けられると、着用者に大きな不快感を与えるおそれがある。しかし、おむつ１では前側における間隔ｄｓ１を、後側における間隔ｄｓ２よりも長くすることで、前側において第１接合部ＷＬ１の下端ＷＬ１ｅｄと着用者の脚とが直接接触しにくくしており、着用者に不快感を与え難い。
【００６５】
逆に、おむつ１の後側では、間隔ｄｓ２が短いため、第２接合部ＷＬ２が長く形成されている。これにより、後側において吸収性本体１０を横方向に拡幅させ、着用者の臀部を広く覆うことができるようにしている。図５Ｂにおいて、おむつ１を着用する際にベルト部３０が横方向の外側に引っ張られる力をＦとすると、当該力Ｆは、ベルト部３０から第２接合部ＷＬ２を介して吸収性本体１０及びレッグギャザー部２０を横方向の外側へ引っ張る力ｆとして作用する。このとき、第２接合部ＷＬ２が長いほど吸収性本体１０やレッグギャザー部２０の広い範囲で均等に力ｆが作用しやすくなる。これにより、吸収性本体１０等が横方向の外側に均等に引っ張られて拡幅しやすくなるため、おむつ１の着用時において着用者の臀部が広く覆われ、フィット性を向上させることができる。
【００６６】
なお、おむつ１の前側では、間隔ｄｓ１が長いため、第１接合部ＷＬ１の長さは第２接合部ＷＬ２の長さよりも短くなっている。そのため、おむつ１の前側では、ベルト部３０を横方向の外側に引っ張る力Ｆが間隔ｄｓ１の領域においては吸収性本体１０やレッグギャザー部２０に作用し難く、後側と比較して吸収性本体１０が拡幅し難い。これにより、前側では着用者の腹部が過度に広く覆われなくなるので、おむつ１の外観をショーツやブリーフ等の下着のようなすっきりとしたものにすることができる。
【００６７】
また、おむつ１では、第１接合部ＷＬ１の上端ＷＬ１ｅｕにおける傾斜角度θ１が、第２接合部ＷＬ２の上端ＷＬ２ｅｕにおける傾斜角度θ２よりも大きくなるように各接合部が配置されている（θ１＞θ２）。この関係により、おむつ１着用時のフィット性を向上させることができる。図６Ａは、従来のパンツ型おむつを着用した状態について表す側面図である。図６Ｂは、本実施形態のおむつ１を着用した状態について表す側面図である。
【００６８】
従来のパンツ型おむつでは、おむつの前側（腹側）に形成される接合部（本実施形態の第１接合部ＷＬ１に相当）と後側（背側）に形成される接合部（本実施形態の第２接合部ＷＬ２に相当）とが、対称な形状に形成されるのが一般的であった。すなわち、前側接合部の縦方向（吸収性本体の長手方向）に対する傾斜角度と、後側接合部の縦方向（吸収性本体の長手方向）に対する傾斜角度とが同じ角度となるように各接合部が形成されていた。この場合、パンツ型に形成した状態で吸収性本体とベルト部とのなす角度が前後で等しくなる。その結果、図６Ａに示されるように、おむつ着用時において吸収性本体の後側（背側）が下方に垂れ下がりやすくなり、おむつ本体と着用者の臀部との間に隙間を生じやすくなるおそれがあった。また、外観上、臀部側がだぶついた印象となり、着用者は「おむつ」を着用していることを意識しやすくなるため、抵抗感を生じさせる場合があった。
【００６９】
これに対して、おむつ１では、前側の傾斜角度θ１が後側の傾斜角度θ２よりも大きくなるように調整されているため、パンツ型に形成した状態で縦方向（吸収性本体１０の長手方向）とベルト部３０とのなす角度は、図５Ａ及び図５Ｂに示されるように、前側で大きく、後側で小さくなる。その結果、図６Ｂに示されるように、おむつ着用時において前側（腹側）と比較して後側（背側）が着用者の臀部の上方まで引き上げられやすくなり、着用者の臀部との間に隙間が生じ難く、フィット性が向上する。また、外観上、ショーツやブリーフのような下着を着用しているように見え、臀部がすっきりとした印象となるため、着用者に「おむつ」を着用することに対する抵抗感を与え難くすることができる。
【００７０】
また、第１接合部ＷＬ１の下端ＷＬ１ｅｄは、第２接合部ＷＬ２の下端ＷＬ２ｅｄよりも幅方向の内側に位置している。例えば、図５Ａにおいて第１接合部ＷＬ１の下端ＷＬ１ｅｄは脚回り開口部ＨＬの境界部ＨＬｅｆから横方向にｄｈ１、縦方向にｄｌ１だけ離れた位置に配置されている。つまり、おむつ１の前側（腹側）では脚回り開口部ＨＬと第１接合部ＷＬ１との間の横方向に所定の間隔（ｄｈ１）が形成されている。そして、おむつ１の前側（腹側）では、この間隔ｄｈ１が所謂あそびの様に機能して、おむつ１の着用時において脚回り開口部ＨＬの端縁部の位置が横方向の内側へｄｈ１だけ変動できるようになる。脚回り開口部ＨＬの端縁部の位置が横方向の内側へある程度変動できるようにしておくことで、横幅の狭い鼠蹊部の形状に沿って脚回り開口部ＨＬがなじみやすくなり、フィット性を高めることができる。
【００７１】
一方、図５Ｂにおいて第２接合部ＷＬ２の下端ＷＬ２ｅｄは脚回り開口部ＨＬの境界部ＨＬｅｒと横方向のほぼ同じ位置に配置されている。したがって、おむつ１の後側（背側）では脚回り開口部ＨＬの端縁部の位置は横方向の内側に変動し難くなる。これにより、脚回り開口部ＨＬが着用者の臀部の横方向内側に食い込むことが抑制され、不快感を与え難くすることができる。
【００７２】
さらに、前側の第１接合部ＷＬ１では、上端ＷＬ１ｅｕと下端ＷＬ１ｅｄとで縦方向に対する傾斜角度が変化している。具体的には、上端ＷＬ１ｅｕにおける傾斜角度θ１よりも、下端ＷＬ１ｅｄにおける傾斜角度θ３（下端ＷＬ１ｅｄにおいて第１接合部ＷＬ１と縦方向とのなす角度のうち小さい方の角度）の方が大きくなっている。すなわち、第１接合部ＷＬ１は、その下端ＷＬ１ｅｄ付近の領域においてより水平に近くなり、図６Ｂに示されるように脚回り開口部ＨＬの周縁に沿うように配置される。したがって、おむつ１の前側において、第１接合部ＷＬ１の方向が脚回り開口部ＨＬの周縁部の伸縮方向と適合し、脚回り開口部ＨＬの周縁部における伸縮動作が第１接合部ＷＬ１によって妨げられることが抑制される。これにより、脚回り開口部ＨＬが周縁部に沿って伸縮しやすくなるため、着用者の脚回りにおけるフィット性をより向上させることができる。
【００７３】
なお、図５Ａに示されているように、第１接合部ＷＬ１は、全長の中央位置よりも下方の領域において湾曲し、傾斜角度θ１から傾斜角度θ３へと滑らかに変化しているため、脚回り開口部ＨＬの周縁部が伸縮する際に、第１接合部ＷＬ１に局所的な負荷がかかることが抑制される。これにより、おむつ１の前側（腹側）で歪が生じたり大きな皺が発生したりする等の問題が生じにくくなり、良好なフィット性を実現しつつ、すっきりとした下着らしい外観形状を確保することができる。また、前側の第１接合部ＷＬ１をこのようにカーブさせることで、第２接合部ＷＬ２との形状の違いが目立ちやすくなるため、おむつ１の前後を判別しやすくなる。
【００７４】
ところで、ベルト部とレッグギャザー部との間に脚回り開口部が形成されるタイプの使い捨ておむつでは、その構造上レッグギャザー部とベルト部との境界部において応力が集中しやすくなる。そして、おむつを着用する際に当該境界部に過度な応力が作用すると、不織布等が裂ける起点となっておむつが破れてしまうおそれがある。本実施形態のおむつ１の場合、レッグギャザー部２０とベルト部３０との境界部ＨＬｅｆ及び境界部ＨＬｅｒに応力が集中しやすくなる。
【００７５】
しかし、おむつ１ではレッグギャザー部２０とベルト部３０とが同一のシート部材（サイドシート４０）によって構成されており、両者の境界部（ＨＬｅｆ，ＨＬｅｒ）には接合箇所等が設けられていないため、当該部分に応力が集中したとしても裂け目の起点は形成され難い。したがって、おむつ１を着用する際に脚回り開口部ＨＬが破れてしまう等の問題は生じ難い。
【００７６】
さらに、おむつ１では、脚回り開口部ＨＬの周縁部を全周に亘って取り囲むように伸縮シート４３が配置されており、該伸縮シート４３には脚回り開口部ＨＬと同形状の開口が設けられている（図３Ａ参照）。この伸縮シート４３によって脚回り開口部ＨＬの周縁部が補強されるので、おむつ１を着用する際に脚回り開口部ＨＬが破れることが抑制される。そして、シート状の伸縮シート４３がレッグギャザー部２０と重複して設けられていることにより、脚回り開口部ＨＬの周縁部を面でフィットさせることができるようになるため、おむつ１着用時におけるレッグギャザー回りの肌触りが良好になる。
【００７７】
また、図５Ａ及び図５Ｂに示されるように、第１接合部ＷＬ１の下端ＷＬ１ｅｄと開口部ＨＬの境界部ＨＬｅｆとの間には所定の間隔ｄｓ１が設けられ、第２接合部ＷＬ２の下端ＷＬ２ｅｄと開口部ＨＬの境界部ＨＬｅｒとの間には所定の間隔ｄｓ２が設けられている。すなわち、第１接合部ＷＬ１及び第２接合部ＷＬ２の下端部がそれぞれ脚回り開口部ＨＬと交差していない。仮に第１接合部ＷＬ１（第２接合部ＷＬ２）が脚回り開口部ＨＬと交差するように形成されていると、おむつ１の着用時に当該交差部において応力が集中して裂け目の起点が形成され、脚回り開口部ＨＬが破れやすくなるおそれがある。しかし、本実施形態のおむつ１では、脚回り開口部ＨＬと各接合部とが交差していないため、そのような裂け目の起点は形成され難く、脚回り開口部ＨＬも破れ難い。
【００７８】
但し、後側（背側）においては、第２接合部ＷＬ２の下端ＷＬ２ｅｄと開口部ＨＬの境界部ＨＬｅｒとの間の間隔ｄｓ２をゼロとしても良い。すなわち、脚回り開口部ＨＬと交差するように第２接合部ＷＬ２が形成されていても良い。この場合、第２接合部ＷＬ２を最大限長く形成することが可能となるため、ベルト部３０を横方向外側に引っ張る力Ｆの作用により（図５Ｂ参照）、後側において吸収性本体１０をより拡幅しやすいという効果を有する。
【００７９】
＜第１接合部ＷＬ１の変形例＞
おむつ１の前側（腹側）に形成される第１接合部ＷＬ１は以下のように変形することも可能である。図７及び図８は、第１接合部ＷＬ１の変形例について表す図である。なお、図７及び図８は、おむつ１を吸収性本体１０の長手方向に沿って伸長させた状態の前側（腹側）領域のみについて表しているが、後側領域については、上述の実施形態と同様である（図５Ｂ参照）。
【００８０】
図７では、第１接合部ＷＬ１が、その下方領域（第１接合部ＷＬ１の中心より下側の領域）において湾曲しながら徐々に傾斜角度が変化するのではなく、ある点を境に傾斜角度がθ１からθ３へと変化している。図７の場合、図５Ａの場合と同様に、第１接合部ＷＬ１の下端ＷＬ１ｅｄと開口部ＨＬとの間には間隔ｄｓ１が設けられ、また、下端ＷＬ１ｅｄの横方向の位置は、第２接合部ＷＬ２の下端ＷＬ２ｅｄの横方向の位置（図７では不図示）よりも内側となっている。
【００８１】
一方、図８では、第１接合部ＷＬ１が、上端ＷＬ１ｅｕから下端ＷＬ１ｅｄまで直線状に形成されている。図８の場合も、図５Ａの場合と同様に、第１接合部ＷＬ１の下端ＷＬ１ｅｄと開口部ＨＬとの間には間隔ｄｓ１が設けられ、また、下端ＷＬ１ｅｄの横方向の位置は、第２接合部ＷＬ２の下端ＷＬ２ｅｄの横方向の位置（図７では不図示）よりも内側となっている。
【００８２】
したがって、第１接合部ＷＬ１を図７や図８の如く変形した場合であっても、上述したように第１接合部ＷＬ１の下端ＷＬ１ｅｄが着用者の脚と直接接触することを抑制し、良好なフィット性を実現することができる。また、第１接合部ＷＬ１の下端ＷＬ１ｅｄが第２接合部ＷＬ２の下端ＷＬ２ｅｄよりも横方向の内側に配置されていることにより、前側においては、着用者の鼠蹊部の形状に沿って脚回り開口部ＨＬがなじみやすくなり、後側においては、脚回り開口部ＨＬの端縁部が着用者の臀部に食い込むことが抑制されるため、よりフィット性を向上させることができる。
【００８３】
＝＝＝その他＝＝＝
上記の実施形態は、本発明の理解を容易にするためのものであり、本発明を限定して解釈するためのものではない。本発明は、その趣旨を逸脱すること無く、変更・改良され得ると共に、本発明には、その等価物が含まれることは言うまでも無い。
【００８４】
上述の実施形態では、脚回り開口部ＨＬの周縁部に配置される伸縮シート４３が、レッグギャザー部２０及び／若しくはベルト部３０を構成する２枚のシート部材（例えばシート部材４１，４２）の間に設けられていたが、伸縮シート４３が設けられる位置はこの限りではない。例えば、レッグギャザー部２０及び／若しくはベルト部３０の厚さ方向の肌側に設けられていても良いし、非肌側に設けられていても良い。
【符号の説明】
【００８５】
１  おむつ（吸収性物品、使い捨ておむつ）、
１０  吸収性本体、１０Ａ  吸収性本体連続シート、
１０ｅｆ  前側端部、１０ｅｒ  後側端部、
１１  吸収体、
１３  トップシート、１３ｆ  エンドガードシート、１３ｎ  セカンドシート、
１５  バックシート、１５ｆ  防漏シート、１５ｎ  外装シート、
２０  レッグギャザー部、２０Ａ  レッグギャザー連続シート、
２０ｅｉ  横方向内側端部、２０ｅо  横方向外側端部、
２１  第１シート、２２  第２シート、２３  レッグギャザー弾性部材、
２４  レッグギャザー弾性部材、２５  レッグギャザー切り欠き部、
３０  ベルト部、３０Ａ  ベルト連続シート
３０ｅｉ  横方向内側端部、３０ｅо  横方向外側端部、
３１  第１シート、３２  第２シート、３３  ベルト弾性部材、
３５  ベルト切り欠き部、
４０  サイドシート、４０Ａ  サイド連続シート、
４１  シート部材、４２  シート部材、４３  伸縮シート、
ＨＢ  胴回り開口部、ＨＬ  脚回り開口部、
ＨＬｅｆ  境界部（長手方向前端部）、ＨＬｅｒ  境界部（長手方向後端部）、
ＣＬ  中央位置、
ＦＬ  折り返し線、
ＦＬｂ１  第１ベルト端部折り返し線、ＦＬｂ２  第２ベルト端部折り返し線、
Ｗ２０  横方向の幅（レッグギャザー部２０）、
Ｗ３０  横方向の幅（ベルト部３０）、
Ｗ４３ｃ，Ｗ４３ｒ  横方向の幅（伸縮シート４３）、
ＷＬ１  第１接合部、ＷＬ１ｅｕ  上端、ＷＬ１ｅｄ  下端、
ＷＬ２  第２接合部、ＷＬ２ｅｕ  上端、ＷＬ２ｅｄ  下端、
ＷＬ３０  ベルト横方向接合部、
θ１  傾斜角度（前側）、θ２  傾斜角度（後側）
【図１】
0006351544.tif 000002
【図２】
0006351544.tif 000003
【図３】
0006351544.tif 000004
【図４】
0006351544.tif 000005
【図５】
0006351544.tif 000006
【図６】
0006351544.tif 000007
【図７】
0006351544.tif 000008
【図８】
0006351544.tif 000009